(57)【要約】【課題】樹脂部材の裏面に凹部を設けることにより文字、記号などの表示対象を表示するようにした表示構造において、印刷層を設けることなく、高い視認性を得られるようにする。【解決手段】透明または半透明の樹脂部材１１には、蛍光材料１２が含有されている。また、樹脂部材１１の裏面には、文字、記号、模様等の表示対象を表す凹部１３が設けらている。樹脂部材１１に光が入射すると、蛍光材料１２が蛍光を発する。この蛍光は、樹脂部材１１の端面で反射しながらその内部を伝播し、凹部１３、１４によって形成された反射面１３ａ、１３ｂ、１４ａ、１４ｂで反射する。この結果、凹部１３、１４によって形成された文字をハイライトし、視認性が向上する。【選択図】図１
2009093977.tif 000002
【特許請求の範囲】
【請求項１】
蛍光材料を含有した透明または半透明の樹脂部材の裏面に凹部を形成し、該凹部により表示対象を形成したことを特徴とする表示構造。
【請求項２】
請求項１記載の表示構造において、
前記凹部が、Ｖ字状の溝、コの字状の溝、またはクラックであることを特徴とする表示構造。
【請求項３】
請求項１記載の表示構造において、
前記凹部が、切削加工、レーザ加工、プラスト加工あるいはエッチング加工により形成されたものであることを特徴とする表示構造。
【請求項４】
蛍光材料を含有した透明または半透明の樹脂部材の内部に気泡を形成し、該気泡により表示対象を形成したことを特徴とする表示構造。
【請求項５】
蛍光材料を含有した透明または半透明の樹脂部材の裏面に凹部を形成し、該凹部により表示対象を形成したことを特徴とするキートップ。
【請求項６】
請求項５記載のキートップにおいて、
前記凹部が、Ｖ字状の溝、コの字状の溝、またはクラックであることを特徴とするキートップ。
【請求項７】
請求項５記載のキートップにおいて、
前記凹部が、切削加工、レーザ加工、プラスト加工あるいはエッチング加工により形成されたものであることを特徴とするキートップ。
【請求項８】
蛍光材料を含有した透明または半透明の樹脂部材の内部に気泡を形成し、該気泡により表示対象を形成したことを特徴とするキートップ。
【発明の詳細な説明】
【技術分野】
【０００１】
本発明は、キー、各種標識、ネームプレート等に用いられる表示構造に関し、特に、透明な樹脂部材の裏面に形成した凹部によって文字、記号、模様などの表示対象を表す表示構造に関する。
【背景技術】
【０００２】
キー、各種標識、ネームプレートなどに利用される表示構造として、透明な樹脂部材の裏面に凹部を形成することにより、文字、模様などを表示するようにしたものが知られている（例えば、特許文献１参照）。
【０００３】
特許文献１は、図４に示すような携帯端末装置において使用するキーの表示構造に関するものであり、図５の断面図に示すように、キートップ１０１と、有色透明性塗膜１０２と、メタルドーム（図示せず）を動作させるための押子を有するラバー１０３とから構成されている。
【０００４】
キートップ１０１は、釦部層１０１ａと底部側層１０１ｂとの２層構造になっており、両層とも透明または半透明の樹脂によって構成されている。底部側層１０１ｂの上面には、表示する文字、記号などを形成した凸部１０４が設けられており、凸部１０４の上面には文字印刷層１０５が設けられている。釦部層１０１ａは、底部側層１０１ｂに熱融着接合されており、その下面には、凸部１０４に対応した凹部１０６が形成される。
【０００５】
釦部層１０１ａに入射した光は、釦部層１０１ａの内部を伝播し、その一部は凹部１０６に到達する。凹部１０６に到達した光の一部は、その上面に設けられている文字印刷層１０５で反射し、残りは凹部１０６の裏面に対して垂直になっている垂直面で反射し、釦部層１０１ａの表面から出射される。これにより、ユーザは、凹部１０６によって形成された文字、記号などの表示対象を認識することが可能になる。
【０００６】
【特許文献１】特開２０００−３４００５９号公報
【発明の開示】
【発明が解決しようとする課題】
【０００７】
しかしながら、特許文献１に記載されている従来の技術では、凹部１０６の垂直面で反射される光の光量が少なく、このため、凸部１０４の上面に文字印刷層１０５を設けると共に底部側層１０１ｂの下面に背景となる有色透光性塗膜１０２を設けなければ、十分な視認性を確保することができないという問題があった。
【０００８】
〔発明の目的〕
そこで、本発明の目的は、樹脂部材の裏面に凹部を設けることにより文字、記号などの表示対象を表示するようにした表示構造において、印刷層を設けることなく、高い視認性を得られるようにすることにある。
【課題を解決するための手段】
【０００９】
本発明にかかる第１の表示構造は、
蛍光材料を含有した透明または半透明の樹脂部材の裏面に凹部を形成し、該凹部により表示対象を形成したことを特徴とする。
【００１０】
本発明にかかる第１のキートップは、
蛍光材料を含有した透明または半透明の樹脂部材の裏面に凹部を形成し、該凹部により表示対象を形成したことを特徴とする。
【発明の効果】
【００１１】
本発明によれば、印刷層を設けることなく、高い視認性を得ることが可能になる。
【発明を実施するための最良の形態】
【００１２】
次に、本発明を実施するための最良の形態について図面を参照して詳細に説明する。
【００１３】
〔本発明の第１の実施例〕
図１は本発明の第１の実施例にかかる表示構造の断面図である。同図を参照すると、透明または半透明の樹脂部材１１には蛍光材料１２（図では一部のみを図示）が含有されており、その裏面には、凹部１３、１４によって文字、記号などの表示対象が形成されている。この図１の例では、凹部１３、１４はそれぞれＶ字状の溝、コの字状の溝によって形成されている。
【００１４】
樹脂部材１１に太陽光、照明光などが入射すると、蛍光材料１２が励起され、特定波長の光（蛍光）を発する。蛍光材料１２から発せられた蛍光は、樹脂部材１１の端面で反射しながら、樹脂部材１１の内部を伝播する。樹脂部材１１の内部を伝播する蛍光は、凹部１３、１４によって構成された反射面１３ａ、１３ｂ、１４ａ、１４ｂ（樹脂部材１１の裏面に対して傾斜を有している面）で反射され、凹部１３、１４によって形成された文字などの表示対象をハイライトさせる。その結果、文字などの表示対象部分と、その周囲部分とのコントラストが大きくなり、視認性が向上する。
【００１５】
〔第１の実施例の効果〕
本実施例によれば、印刷層を設けずとも、樹脂部材の裏面に凹部を設けるだけで、高い視認性を得ることが可能になる。その理由は、樹脂部材として、蛍光材料１２が含有された樹脂部材１１を使用するようにしているからである。
【００１６】
〔本発明の第２の実施例〕
次に、本発明の第２の実施例について説明する。図２は、本発明の第２の実施例にかかる表示構造の断面図であり、蛍光材料２２を含有する樹脂部材２１の内部には、球状の気泡２３、２４が形成されており、この気泡２３、２４により表示対象となる文字、記号などが表されている。なお、気泡２３、２４は、樹脂部材２１にレーザ光を照射することにより形成することができる。
【００１７】
樹脂部材２１に光が入射することにより蛍光材料２２から発せられた蛍光は、樹脂部材２１の端面において反射しながら、樹脂部材２１の内部を伝播する。樹脂部材２１の内部を伝播する蛍光は、気泡２３、２４において反射され、気泡２３、２４によって形成された文字などの表示対象をハイライトさせる。その結果、文字などの表示対象部分と、その周囲部分とのコントラストが大きくなり、高い視認性を得ることができる。
【００１８】
〔第２の実施例の効果〕
本実施例によれば、ユーザが表示を見る方向に関わらず、高い視認性を得ることが可能になる。その理由は、球状の気泡２３、２４によって文字などの表示対象を表すようにしているからである。即ち、第１の実施例のようにＶ字状の溝やコの字状の溝によって表示対象を表す場合には、ユーザが表示を見る方向と反射面の傾斜角度との関係によっては表示対象が見にくくなる場合があるが、本実施例のように球形の気泡２３、２４によれば、ユーザが表示を見る方向がどのような方向であっても、適切な傾斜を有する反射面が存在するので、ユーザが表示を見る方向に関わらず、高い視認性を得ることができる。
【００１９】
〔本発明の第３の実施例〕
次に、本発明の第３の実施例について説明する。図３は本発明の第３の実施例にかかるキーの断面図であり、図４に示すような携帯端末装置で利用されるキーの断面を示したものである。
【００２０】
図３を参照すると、キートップを構成する透明または半透明の樹脂部材３１には、蛍光材料３２（図では一部のみを図示）が含有されている。また、樹脂部材３１の裏面には、文字などの表示対象を表すための凹部３３が形成されている。凹部３３は、図２の例では、コの字状の溝、Ｖ字状の溝になっているが、樹脂部材３１の裏面に対して傾斜を有する反射面を形成できる形状であればこれに限られるものではなく、クラックであっても良い。
【００２１】
樹脂部材３１の裏面には印刷層３４が設けられている。この印刷層３４は、キーの見栄えを良くするためのものであり、必ずしも設ける必要はない。
【００２２】
ラバー３６には、メタルドーム（図示せず）を押下するための押子が設けられており、接着層３５によってキートップと接続されている。
【００２３】
樹脂部材３１に太陽光、室内の照明光、携帯端末装置の筐体内部に設けられた光源からの光などが入射すると、蛍光材料３２が蛍光を発する。蛍光材料３２から発せられた蛍光は、樹脂部材３１の端面で反射しながらその内部を伝播する。樹脂部材３１の内部を伝播される蛍光は、凹部３３によって形成された文字などの表示対象をハイライトさせる。
【００２４】
なお、凹部３３は、レーザ加工、ＮＣ工作機による切削加工、ブラスト加工、エッジング加工などにより形成可能である。また、ブラスト加工により凹部３３を形成する場合には、文字部分を凹部にしても良いし、その反対に文字の背景部分を凹部にしても良い。
【００２５】
また、本発明の表示構造は、キーのキートップだけでなく、各種標識や、ネームプレートなどにも利用できる。更に、携帯端末装置の筐体表面に蛍光材料を含有した樹脂層を設け、且つ樹脂層の裏面に凹部を設けることにより、多種多様な文字や柄を表現することが可能になる。
【００２６】
〔第３の実施例の効果〕
本実施例によれば、文字などの表示対象を表す印刷層を設けずとも、樹脂部材の裏面に凹部を設けるだけで、視認性の高いキーを構成することが可能になる。その理由は、キートップを構成する樹脂部材として、蛍光材料３２が含有された樹脂部材３１を使用するようにしているからである。
【産業上の利用可能性】
【００２７】
本発明は、携帯端末装置のキー、各種標識、ネームプレートなどに利用することが可能である。
【図面の簡単な説明】
【００２８】
【図１】本発明の第１の実施例にかかる表示構造の断面図である。
【図２】本発明の第２の実施例にかかる表示構造の断面図である。
【図３】本発明の第３の実施例にかかるキーの断面図である。
【図４】携帯端末装置の斜視図である。
【図５】従来のキーの断面図である。
【符号の説明】
【００２９】
１１…樹脂部材
１２…蛍光材料
１３、１４…凹部
１３ａ、１３ｂ、１４ａ、１４ｂ…反射面
２１…樹脂部材
２２…蛍光材料
２３、２４…気泡
３１…樹脂部材
３２…蛍光材料
３３…凹部
３４…印刷層
３５…接着層
３６…ラバー
１０１…キートップ
１０１ａ…釦部層
１０１ｂ…底部側層
１０２…有色透光性塗膜
１０３…ラバー
１０４…凸部
１０５…文字印刷層
１０６…凹部
【図１】
2009093977.tif 000003
【図２】
2009093977.tif 000004
【図３】
2009093977.tif 000005
【図４】
2009093977.tif 000006
【図５】
2009093977.tif 000007